(57)【要約】【課題】電子辞書の所望の見出語の説明情報のうち、所望の品詞や語義等の分類項目についての語義説明や用例等の各情報を容易且つ迅速に表示させる【解決手段】ＣＰＵ１０は、検索語と一致する見出語の辞書情報を読み出して、見出語を見出語表示エリアに、品詞種別を品詞種別表示エリアに、語義を語義表示エリアに、派生語又は成句を派生語・成句表示エリアに、用例を用例表示エリアに分類して表示させる。そして、ＣＰＵ１０は、各表示エリアに表示されている情報が指定された際に、当該指定された情報の階層上下関係に従って、より下位の階層に格納される情報が表示される表示エリアの表示を更新する。【選択図】  図２
2004213242.tif 000002
【特許請求の範囲】
【請求項１】
見出語と、当該見出語の説明情報とを対応付けて記憶した情報記憶手段と、
検索語を入力する入力手段と、
この入力手段により入力された検索語と一致する見出語に対応する説明情報を情報記憶手段から読み出して、当該説明情報を予め定められた分類項目毎に異なる分割画面に分類表示させる分類表示制御手段と、
を備えることを特徴とする情報表示制御装置。
【請求項２】
一の分割画面に表示された情報の中のいずれかの部分が指定された際、各分割画面に指定された部分と対応関係にある分類項目毎の部分を、各分割画面に表示させる対応分類表示制御手段を備えることを特徴とする請求項１に記載の情報表示制御装置。
【請求項３】
見出語と、当該見出語の説明情報とを対応付けて記憶した情報記憶手段と、
検索語を入力する入力手段と、
この入力手段により入力された検索語と一致する見出語を検索する検索手段とを備え、この検索手段により検索された見出語に対応する説明情報を表示画面に表示する情報表示制御装置において、
前記表示画面は、予め定められた階層的な分類項目の内、各階層に含まれる項目の情報を表示するための、各階層に対応付けられた複数の分割画面を有して構成されており、
前記検索手段により検索された見出語に対応する説明情報の内、前記分類項目の階層上下関係に則した情報を、対応する各分割画面に表示する分類表示手段と、
この分類表示手段により表示された情報の内、所定の操作による一部分の指定によって、前記分類表示手段により既に表示されていた情報の階層上下関係が変化する場合に、前記表示画面に表示していた情報を前記分類項目の階層上下関係に則した情報に更新して再表示する表示更新手段と、
を備えることを特徴とする情報表示制御装置。
【請求項４】
前記複数の分割画面には、品詞種別を表示するための品詞種別表示画面と、品詞種別より下位階層である語義を表示するための語義表示画面とが含まれ、
前記表示更新手段は、品詞種別表示画面に表示された品詞種別の内、所定の操作による一の品詞種別の指定によって、前記品詞種別表示画面において既に指定されていた品詞種別と前記語義表示画面に既に表示されていた語義との間の階層上下関係と、前記指定された品詞種別と前記語義表示画面に既に表示されていた語義との間の階層上下関係とが変化する場合に、前記語義表示画面に表示していた語義を前記指定された品詞種別との間で階層上下関係に則する語義に更新して再表示する語義再表示手段を有することを特徴とする請求項３に記載の情報表示制御装置。
【請求項５】
前記複数の分割画面には、用例を表示するための用例表示画面が含まれ、
前記表示更新手段は、用例より上位階層の分類項目を表示する分割画面に表示された情報の内、所定の操作による一部分の指定によって、前記分割画面において既に指定されていた一部分と前記用例表示画面に既に表示されていた用例との間の階層上下関係と、前記指定されていた一部分と前記用例表示画面に既に表示されていた用例との間の階層上下関係とが変化する場合に、前記用例表示画面に表示していた用例を階層上下関係に則した用例に更新して再表示する用例再表示手段を有することを特徴とする請求項３に記載の情報表示制御装置。
【請求項６】
前記複数の分割画面には、用例より上位階層の分類項目である語義を表示するための語義表示画面が含まれ、
前記用例再表示手段は、前記語義表示画面に表示された語義の内、所定の操作による一部の語義の指定によって、前記語義表示画面において既に指定されていた語義と前記用例表示画面に既に表示されていた用例との間の階層上下関係と、前記指定された語義と前記用例表示画面に既に表示されていた用例との間の階層上下関係とが変化する場合に、前記用例表示画面に表示していた用例を前記指定された語義との間で階層上下関係に則する用例に更新して再表示する手段であることを特徴とする請求項５に記載の情報表示制御装置。
【請求項７】
前記複数の分割画面には、用例より上位階層の分類項目である成句を表示するための成句表示画面が含まれ、
前記用例再表示手段は、前記成句表示画面に表示された成句の内、所定の操作による一部の成句の指定によって、前記成句表示画面において既に指定されていた成句と前記用例表示画面に既に表示されていた用例との間の階層上下関係と、前記指定された成句と前記用例表示画面に既に表示されていた用例との間の階層上下関係とが変化する場合に、前記用例表示画面に表示していた用例を前記指定された成句との間で階層上下関係に則する用例に更新して再表示する手段であることを特徴とする請求項５に記載の情報表示制御装置。
【請求項８】
コンピュータに、
見出語と、当該見出語の説明情報とを対応付けて記憶した情報記憶機能と、
検索語を入力する入力機能と、
この入力機能により入力された検索語と一致する見出語に対応する説明情報を情報記憶機能から読み出して、当該説明情報を予め定められた分類項目毎に異なる分割画面に分類表示させる分類表示制御機能と、
を実現させるためのプログラム。
【請求項９】
コンピュータに、
見出語と、当該見出語の説明情報とを対応付けて記憶した情報記憶機能と、
検索語を入力する入力機能と、
この入力機能により入力された検索語と一致する見出語を検索する検索機能とを実現させ、この検索機能により検索された見出語に対応する説明情報を前記表示部の表示画面に表示させる制御を行わせるプログラムであって、
前記表示画面は、予め定められた階層的な分類項目の内、各階層に含まれる項目の情報を表示するための、各階層に対応付けられた複数の分割画面を有して構成されており、
前記検索機能により検索された見出語に対応する説明情報の内、前記分類項目の階層上下関係に則した情報を、対応する各分割画面に表示する分類表示機能と、
この分類表示機能により表示された情報の内、所定の操作による一部分の指定によって、前記分類表示機能により既に表示されていた情報の階層上下関係が変化する場合に、前記表示画面に表示していた情報を前記分類項目の階層上下関係に則した情報に更新して再表示する表示更新機能と、
を前記コンピュータに実現させるためのプログラム。
【発明の詳細な説明】
【０００１】
【発明の属する技術分野】
本発明は、指定された見出語に対応する情報を検索する情報表示制御装置及びプログラムに関する。
【０００２】
【従来の技術】
従来から、国語辞典、英和辞典、和英辞典等の各種辞書等、数種類の電子辞書データが組み込まれた電子辞書と呼ばれる携帯型の電子機器が知られている。この電子辞書データには、見出語と、当該見出語の説明情報とが対応付けられて記憶され、検索語を指定することにより、検索語と一致する見出語の説明情報を表示させることができる。
【０００３】
また、英和辞典において、使用者の目的に応じて単語ごとに訳の表示方法の指定が可能な辞書機能を有する電子辞書が知られている。具体的には、表示フォーマットを単語ごとに指定可能であり、当該単語が再度検索された場合に、指定された表示フォーマットに従って訳が表示される。さらに、訳の表示順序の優先順位を指定することができるとともに、表示させる訳の項目を制限することができ、前回検索した単語を再度検索する際の使い勝手の向上を図っている（特許文献１参照。）。
【０００４】
【特許文献１】
特開２０００−１９４７０１号公報
【０００５】
【発明が解決しようとする課題】
ところで、従来の電子辞書は、紙の辞書と同様に、見出語に対応付けて該当する説明情報に含まれる各種情報を一定の法則に従って順番に羅列して表示するものであった。このため、表示された説明情報をスクロールさせて目的の語義説明を探す必要があった。また、紙の辞書は一覧性があるが、電子辞書の一画面の情報は紙の辞書に比べて少なく、所望の説明情報を探すのに何ページも移動（スクロール等）する必要があり、探すのが大変であった。
【０００６】
本発明は、上記した従来の事情に鑑みてなされたものであり、電子辞書の所望の見出語の説明情報のうち、所望の品詞や語義等の分類項目についての語義説明や用例等の各情報を容易且つ迅速に表示させることを目的とする。
【０００７】
【課題を解決するための手段】
以上の課題を解決するため、請求項１に記載の発明の情報表示制御装置は、
見出語と、当該見出語の説明情報とを対応付けて記憶した情報記憶手段（例えば、図２に示す英和辞書ＤＢ５２）と、
検索語を入力する入力手段（例えば、図２に示す入力装置２０；図８に示すステップＡ１０）と、
この入力手段により入力された検索語と一致する見出語に対応する説明情報を情報記憶手段から読み出して、当該説明情報を予め定められた分類項目毎に異なる分割画面に分類表示させる分類表示制御手段（例えば、図２に示すＣＰＵ１０，表示装置３０；図１０に示すエリア分類表示処理）と、
を備えることを特徴としている。
【０００８】
また、請求項８に記載の発明のプログラムは、
コンピュータに、
見出語と、当該見出語の説明情報とを対応付けて記憶した情報記憶機能（例えば、図２に示す英和辞書ＤＢ５２）と、
検索語を入力する入力機能（例えば、図２に示す入力装置２０；図８に示すステップＡ１０）と、
この入力機能により入力された検索語と一致する見出語に対応する説明情報を情報記憶機能から読み出して、当該説明情報を予め定められた分類項目毎に異なる分割画面に分類表示させる分類表示制御機能（例えば、図２に示すＣＰＵ１０，表示装置３０；図１０に示すエリア分類表示処理）と、
を実現させることを特徴としている。
【０００９】
この請求項１又は８に記載の発明によれば、入力された検索語と一致する見出語に対応する説明情報を情報記憶手段から読み出して表示する際に、当該読み出した説明情報を予め定められた分類項目毎に異なる分割画面に分類表示させることができる。従って、所望の見出語に対応する説明情報のうち、所望の品詞や語義等の分類項目についての語義説明や用例等の各情報を容易且つ迅速に表示させることができる。
【００１０】
そして、請求項２に記載の発明は、請求項１に記載の情報表示制御装置において、
一の分割画面に表示された情報の中のいずれかの部分が指定された際、各分割画面に指定された部分と対応関係にある分類項目毎の部分を、各分割画面に表示させる対応分類表示制御手段（例えば、図２に示すＣＰＵ１０，表示装置３０；図１１に示すステップＢ１４０〜Ｂ１４６，図１２に示すステップＢ１６０〜Ｂ１６６）を備えることを特徴としている。
【００１１】
この請求項２に記載の発明によれば、一の分割画面に表示された情報の中のいずれかの部分が指定された際、各分割画面に指定された部分と対応関係にある分類項目毎の部分を、各分割画面に表示させることができる。従って、所望の見出語に対応する説明情報のうち、所望の品詞や語義等の分類項目についての語義説明や用例等の各情報を容易且つ迅速に表示させることができる。
【００１２】
また、請求項３に記載の発明の情報表示制御装置は、
見出語と、当該見出語の説明情報とを対応付けて記憶した情報記憶手段（例えば、図２に示す英和辞書ＤＢ５２）と、
検索語を入力する入力手段（例えば、図２に示す入力装置２０；図８に示すステップＡ１０）と、
この入力手段により入力された検索語と一致する見出語を検索する検索手段（例えば、図２に示すＣＰＵ１０；図８に示すステップＡ１４）とを備え、この検索手段により検索された見出語に対応する説明情報を表示画面に表示する情報表示制御装置において、
前記表示画面は、予め定められた階層的な分類項目の内、各階層に含まれる項目の情報を表示するための、各階層に対応付けられた複数の分割画面（例えば、図７に示す見出語表示エリアＥ１０，品詞種別表示エリアＥ２０，語義表示エリアＥ３０，派生語・成句表示エリアＥ４０，用例表示エリアＥ５０）を有して構成されており、
前記検索手段により検索された見出語に対応する説明情報の内、前記分類項目の階層上下関係に則した情報を、対応する各分割画面に表示する分類表示手段（例えば、図２に示すＣＰＵ１０，表示装置３０；図１０に示すエリア分類表示処理）と、
この分類表示手段により表示された情報の内、所定の操作による一部分の指定によって、前記分類表示手段により既に表示されていた情報の階層上下関係が変化する場合に、前記表示画面に表示していた情報を前記分類項目の階層上下関係に則した情報に更新して再表示する表示更新手段（例えば、図２に示すＣＰＵ１０，表示装置３０；図１１に示すステップＢ１４０〜Ｂ１４６，図１２に示すステップＢ１６０〜Ｂ１６６）を有することを特徴としている。
【００１３】
また、請求項９に記載の発明のプログラムは、
コンピュータに、
見出語と、当該見出語の説明情報とを対応付けて記憶した情報記憶機能（例えば、図２に示す英和辞書ＤＢ５２）と、
検索語を入力する入力機能（例えば、図２に示す入力装置２０；図８に示すステップＡ１０）と、
この入力機能により入力された検索語と一致する見出語を検索する検索機能（例えば、図２に示すＣＰＵ１０；図８に示すステップＡ１４）とを実現させ、この検索機能により検索された見出語に対応する説明情報を前記表示部の表示画面に表示させる制御を行わせるプログラムであって、
前記表示画面は、予め定められた階層的な分類項目の内、各階層に含まれる項目の情報を表示するための、各階層に対応付けられた複数の分割画面（例えば、図７に示す見出語表示エリアＥ１０，品詞種別表示エリアＥ２０，語義表示エリアＥ３０，派生語・成句表示エリアＥ４０，用例表示エリアＥ５０）を有して構成されており、
前記検索機能により検索された見出語に対応する説明情報の内、前記分類項目の階層上下関係に則した情報を、対応する各分割画面に表示する分類表示機能（例えば、図２に示すＣＰＵ１０，表示装置３０；図１０に示すエリア分類表示処理）と、
この分類表示機能により表示された情報の内、所定の操作による一部分の指定によって、前記分類表示機能により既に表示されていた情報の階層上下関係が変化する場合に、前記表示画面に表示していた情報を前記分類項目の階層上下関係に則した情報に更新して再表示する表示更新機能（例えば、図２に示すＣＰＵ１０，表示装置３０；図１１に示すステップＢ１４０〜Ｂ１４６，図１２に示すステップＢ１６０〜Ｂ１６６）と、
を前記コンピュータに実現させることを特徴としている。
【００１４】
この請求項３又は９に記載の発明によれば、入力された検索語と一致する見出語に対応する説明情報を情報記憶手段から読み出して表示する際に、当該読み出した説明情報を予め定められた階層的な分類項目毎に異なる分割画面に分類表示させることができる。さらに、一の分割画面に表示された情報の中の一部分が指定された際、当該時点で各分割画面に表示している情報と指定された一部分との階層上下関係が異なる場合には、各分割画面の表示を指定された一部分の階層上下関係に則した情報に更新することができる。即ち、説明情報に含まれる情報を階層上下関係に基づいて分類項目毎に表示させることができる。従って、所望の見出語に対応する説明情報のうち、所望の品詞や語義等の分類項目についての語義説明や用例等の各情報を容易且つ迅速に表示させることができる。
【００１５】
そして、請求項４に記載の発明は、請求項３に記載の情報表示制御装置において、
前記複数の分割画面には、品詞種別を表示するための品詞種別表示画面と、品詞種別より下位階層である語義を表示するための語義表示画面（例えば、図７に示す語義表示エリアＥ３０）とが含まれ、
前記表示更新手段は、品詞種別表示画面に表示された品詞種別の内、所定の操作による一の品詞種別の指定によって、前記品詞種別表示画面において既に指定されていた品詞種別と前記語義表示画面に既に表示されていた語義との間の階層上下関係と、前記指定された品詞種別と前記語義表示画面に既に表示されていた語義との間の階層上下関係とが変化する場合に、前記語義表示画面に表示していた語義を前記指定された品詞種別との間で階層上下関係に則する語義に更新して再表示する語義再表示手段（例えば、図２に示すＣＰＵ１０，表示装置３０；図１１に示すステップＢ１４４）を有することを特徴としている。
【００１６】
ここで、品詞種別とは、例えば、品詞が名詞の見出語の語義が加算名詞として用いられるか不加算名詞として用いられるか、品詞が形容詞の見出語を叙述用法として用いるか限定用法として用いるか、或いは品詞が動詞の見出語を自動詞として用いるか他動詞として用いるかといった、品詞の用法に基づいて分類される種別のことである。
【００１７】
この請求項４に記載の発明によれば、入力された検索語と一致する見出語の品詞の品詞種別を品詞種別表示画面に、当該見出語に対応する説明情報に含まれる語義を語義表示画面に分類表示させることができる。さらに、品詞種別表示画面において、語義より上位階層の分類項目である品詞種別が指定された際、当該時点で語義表示画面に表示している語義と指定された品詞種別との階層上限関係が異なる場合には、語義表示画面の表示を指定された品詞種別の階層上下関係に則した情報に更新して再表示することができる。従って、所望の見出語に対応する説明情報のうち、所望の品詞種別に対応する語義を容易且つ迅速に表示させることができる。
【００１８】
また、請求項５に記載の発明は、請求項３に記載の情報表示制御装置において、
前記複数の分割画面には、用例を表示するための用例表示画面（例えば、図７に示す用例表示エリアＥ５０）が含まれ、
前記表示更新手段は、用例より上位階層の分類項目を表示する分割画面に表示された情報の内、所定の操作による一部分の指定によって、前記分割画面において既に指定されていた一部分と前記用例表示画面に既に表示されていた用例との間の階層上下関係と、前記指定されていた一部分と前記用例表示画面に既に表示されていた用例との間の階層上下関係とが変化する場合に、前記用例表示画面に表示していた用例を階層上下関係に則した用例に更新して再表示する用例再表示手段（例えば、図２に示すＣＰＵ１０，表示装置３０；図１１に示すステップＢ１４６，図１２に示すステップＢ１６６）を有することを特徴としている。
【００１９】
この請求項５に記載の発明によれば、入力された検索語と一致する見出語に対応する説明情報に含まれる用例を用例表示画面に分類表示させることができる。さらに、用例より上位階層の分類項目を表示させた他の分割画面の情報の中の一部分が指定された際、当該時点で用例表示画面に表示している用例と指定された一部分との階層上限関係が異なる場合には、用例表示画面の表示を指定された一部分の階層上下関係に則した情報に更新して再表示することができる。従って、所望の見出語に対応する説明情報のうち、所望の品詞や語義等の分類項目に対応する用例を容易且つ迅速に表示させることができる。
【００２０】
そして、請求項６に記載の発明は、請求項５に記載の情報表示制御装置において、
前記複数の分割画面には、用例より上位階層の分類項目である語義を表示するための語義表示画面（例えば、図７に示す語義表示エリアＥ３０）が含まれ、
前記用例再表示手段は、前記語義表示画面に表示された語義の内、所定の操作による一部の語義の指定によって、前記語義表示画面において既に指定されていた語義と前記用例表示画面に既に表示されていた用例との間の階層上下関係と、前記指定された語義と前記用例表示画面に既に表示されていた用例との間の階層上下関係とが変化する場合に、前記用例表示画面に表示していた用例を前記指定された語義との間で階層上下関係に則する用例に更新して再表示する手段（例えば、図２に示すＣＰＵ１０，表示装置３０；図１２に示すステップＢ１６６）であることを特徴としている。
【００２１】
この請求項６に記載の発明によれば、入力された検索語と一致する見出語に対応する説明情報に含まれる語義を語義表示画面に、当該見出語に対応する説明情報に含まれる用例を用例表示画面に分類表示させることができる。さらに、語義表示画面において、用例より上位階層の分類項目である語義が指定された際、当該時点で用例表示画面に表示している用例と指定された語義との階層上下関係が異なる場合には、用例表示画面の表示を指定された語義の階層上下関係に則した情報に更新して再表示することができる。従って、所望の見出語に対応する説明情報のうち、所望の語義に対応する用例を容易且つ迅速に表示させることができる。
【００２２】
さらに、請求項７に記載の発明は、請求項５に記載の情報表示制御装置において、
前記複数の分割画面には、用例より上位階層の分類項目である成句を表示するための成句表示画面（例えば、図７に示す派生語・成句表示エリアＥ４０）が含まれ、
前記用例再表示手段は、前記成句表示画面に表示された成句の内、所定の操作による一部の成句の指定によって、前記成句表示画面において既に指定されていた成句と前記用例表示画面に既に表示されていた用例との間の階層上下関係と、前記指定された成句と前記用例表示画面に既に表示されていた用例との間の階層上下関係とが変化する場合に、前記用例表示画面に表示していた用例を前記指定された成句との間で階層上下関係に則する用例に更新して再表示する手段（例えば、図２に示すＣＰＵ１０，表示装置３０；図１５に示すステップＣ１４）であることを特徴としている。
【００２３】
この請求項７に記載の発明によれば、入力された検索語と一致する見出語に対応する説明情報に含まれる成句を成句表示画面に分類表示させることができる。さらに、成句表示画面において、用例より上位階層の分類項目である成句が指定された際、当該時点で用例表示画面に表示している用例と指定された成句との階層上下関係が異なる場合には、用例表示画面の表示を指定された成句の階層上下関係に則した情報に更新することができる。
【００２４】
【発明の実施の形態】
以下、図１〜図１７を参照して、本発明に係る情報表示制御装置を折りたたみ式の携帯型電子辞書（以下、単に「電子辞書」という。）に適用した場合の実施の形態について詳細に説明する。
【００２５】
電子辞書には、国語辞典、英和辞典、和英辞典等の各種辞書、各種用語辞典、百科事典等の各種電子辞書データ（辞書データベース（以下、データベースを「ＤＢ」という。）が内蔵されている。この電子辞書データには、見出語に対応付けて、当該見出語を説明するための文字データや、画像データ、動画データ、音声データ等が記憶される。ユーザは、辞書種別を選択して検索語を入力することにより、当該検索語の解説等を表示させることができる。以下、当該電子辞書に、英和辞典の電子辞書データが内蔵されている場合を例にとって説明する。
【００２６】
図１に、情報表示制御装置の一種である電子辞書１の斜視概観図の一例を示す。同図に示すように、電子辞書１は、ディスプレイ３と、各種キー群５とを備えて構成されている。各種キー群５を構成するキーにはそれぞれ固有の機能が割り当てられており、ユーザは、これらのキーを押下して電子辞書１を操作する。
【００２７】
具体的には、文字入力キー、操作の確定指示を入力する決定キー、カーソルの移動指示等を入力するカーソルキー、辞書種別の選択キー、指定した単語へのジャンプキー、指定した単語の用例表示キー等を備える。
【００２８】
先ず、電子辞書１の機能構成例について説明する。図２に、電子辞書１の機能ブロック図を示す。同図に示すように、電子辞書１は、ＣＰＵ１０、入力装置２０、表示装置３０、ＲＯＭ５０、ＲＡＭ７０の各機能部を備えて構成される。
【００２９】
ＣＰＵ１０は、入力される指示に応じて所定のプログラムに基づいた処理を実行し、各機能部への指示やデータの転送等を行い、電子辞書１を統括的に制御する。具体的には、ＣＰＵ１０は、入力装置２０から入力される押下信号等に応じてＲＯＭ５０に格納されたプログラムを読み出し、当該プログラムに従って処理を実行する。そして、処理結果をＲＡＭ７０に保存するとともに、当該処理結果を表示するための表示信号を適宜表示装置３０に出力して、対応した表示情報を表示させる。
【００３０】
入力装置２０は、仮名、漢字、アルファベット等の文字入力や機能選択等に必要なキー群を備え、押下されたキーの押下信号等をＣＰＵ１０に出力する。この入力装置２０におけるキー入力により、特に、検索語の入力、辞書種別の選択、検索実行指示、ジャンプ実行指示等の入力手段が実現される。尚、この入力装置２０は、図１に示すキー群５に相当するものである。
【００３１】
表示装置３０は、ＣＰＵ１０から入力される表示信号に基づいて各種画面を表示させるものであり、ＬＣＤ（Ｌｉｑｕｉｄ  Ｃｒｙｓｔａｌ  Ｄｉｓｐｌａｙ）等により構成される。尚、この表示装置３０は、図１に示すディスプレイ３に相当する。
【００３２】
ＲＯＭ５０には、各種初期設定、ハードウェアの検査、又は必要なプログラムのロード等を行うための初期プログラムが格納される。ＣＰＵ１０は、電子辞書１の電源投入時においてこの初期プログラムを実行することにより、電子辞書１の動作環境を設定する。
【００３３】
また、ＲＯＭ５０には、電子辞書１の動作に係る各種処理プログラムや電子辞書１の備える種々の機能を実現するためのプログラムやデータが格納されるとともに、特に、英和辞書ＤＢ５２と、辞書検索プログラム５４と、エリア分類表示プログラム５６とが格納される。また、エリア分類表示プログラム５６は、品詞種別表示エリア選択プログラム５６ａと、語義表示エリア選択プログラム５６ｂとを備える。
【００３４】
ＣＰＵ１０は、このＲＯＭ５０に格納された辞書検索プログラム５４に従って辞書検索処理を実行する。具体的には、ＣＰＵ１０は、検索指示の入力に応じて英和辞書ＤＢ５２に記憶される見出語から指定された検索語と一致する見出語を検索して、検索された見出語の辞書情報を読み出す。この読み出された辞書情報は、辞書情報格納領域７２に保持される。
【００３５】
図３に、英和辞書ＤＢ５２に蓄積される辞書情報の格納形式の一例を示す。同図に示すように、英和辞書ＤＢ５２には、見出語５３１と、当該見出語５３１の説明情報５３２とが対応付けられた辞書情報５３が蓄積される。各見出語に対応付けられた説明情報５３２は、派生語、成句、品詞種別、語義、当該語義番号の語義及び用例の各分類項目に階層的に分類されて格納される。具体的には、説明情報５３２は、派生語、成句より下位の階層において品詞種別に基づいて分類され、さらに、各品詞種別に対応する下位の階層において語義番号に基づいて対応する語義及び用例に分類されて格納される。
【００３６】
図４は、名詞の見出語５３１ａ“ｌｕｃｋ”の辞書情報の一例を示す図である。同図に示すように、見出語５３１ａ“ｌｕｃｋ”に対応付けて、説明情報５３２ａが、図３に示して説明した分類項目毎に階層的に分類されて格納される。また、図４に示すように、見出語５３１ａの品詞が名詞の場合には、説明情報５３２ａに含まれる語義番号に対応する語義が加算名詞として用いられるか不加算名詞として用いられるかに基づいて、品詞種別“加算”又は品詞種別“不加算”に分類されている。
【００３７】
また、図５は、形容詞の見出語５３１ｂ“ｂｒｉｇｈｔ”の辞書情報の一例を示す図である。同図に示すように、見出語５３１ｂ“ｂｒｉｇｈｔ”に対応付けて、説明情報５３２ｂが、分類項目毎に階層的に分類されて格納される。また、図５に示すように、見出語５３１ｂの品詞が形容詞の場合には、当該見出語５３１ｂを叙述用法として用いるか限定用法として用いるかに基づいて、品詞種別“叙述用法”又は品詞種別“限定用法”に分類されている。
【００３８】
また、図６は、動詞の見出語５３１ｃ“ｂｅｇｉｎ”の辞書情報の一例を示す図である。同図に示すように、見出語５３１ｃ“ｂｅｇｉｎ”に対応付けて、説明情報５３２ｃが、分類項目毎に階層的に分類されて格納される。また、同図に示すように、見出語５３１ｃの品詞が動詞の場合には、当該見出語５３１ｃを自動詞として用いるか他動詞として用いるかに基づいて、品詞種別“自動詞”又は品詞種別“他動詞”に分類されている。さらに、動詞の場合には、品詞種別毎に、当該見出語５３１ｃの動詞がとり得る文型に基づいて分類される。例えば、図６に示すように、品詞種別“他動詞”に対応する下位の階層において、文型“ＳＶＯ”と文型“ｔｏｄｏ／ｄｏｉｎｇ”に分類されている。また、用例には、当該用例の文型が対応付けられて格納される。
【００３９】
即ち、品詞種別が変化した場合には、品詞種別と、当該品詞種別より下位の階層に格納される語義番号や、当該語義番号の語義及び対応する用例との階層上下関係が変化する。また、語義番号が変化した場合には、当該語義番号の語義及び対応する用例との階層上下関係が変化する。さらに、品詞が動詞の場合には、文型が変化した場合には、当該文型より下位の階層に格納される語義番号や、当該語義番号の語義及び対応する用例との階層上下関係が変化する。
【００４０】
そして、ＣＰＵ１０は、エリア分類表示プログラム５６に従ってエリア分類表示処理を実行する。具体的には、ＣＰＵ１０は、先ず、読み出した辞書情報を表示装置３０に分類初期表示させる。
【００４１】
図７は、指定した検索語の辞書情報が表示される検索結果表示画面の画面構成例を示す図である。同図に示すように、検索結果表示画面は、見出語表示エリアＥ１０と、品詞種別表示エリアＥ２０と、語義表示エリアＥ３０と、派生語・成句表示エリアＥ４０と、用例表示エリアＥ５０とを備える。
【００４２】
ＣＰＵ１０は、読み出した辞書情報に基づいて、見出語表示エリアＥ１０に見出語を表示させる。また、品詞種別表示エリアＥ２０に品詞種別を一覧表示させるとともに、品種種別に対応する階層の内、最上段に格納される品種種別を選択状態に設定して反転表示させる。以下、選択状態に設定されている品詞種別を、適宜「選択品詞種別」という。また、語義表示エリアＥ３０に、品詞種別表示エリアＥ２０において選択品詞種別と階層上下関係が等しい語義を一覧表示させるとともに、選択品詞種別と階層上下関係が等しい語義の内、語義番号“１”の語義を選択状態に設定して反転表示させる。以下、選択状態に設定されている語義を、適宜「選択語義」という。また、派生語・成句表示エリアＥ４０に、派生語及び成句を表示させる。さらに、用例表示エリアＥ５０に、品詞種別表示エリアＥ２０において選択品詞種別と階層上下関係が等しい用例を一覧表示させ、語義表示エリアＥ３０において選択語義の用例を選択状態に設定して反転表示させる。
【００４３】
また、ＣＰＵ１０は、品詞種別表示エリアＥ２０に表示される品詞種別が指定された場合に、品詞種別表示エリア選択プログラム５６ａに従って品詞種別表示エリア選択処理を実行する。具体的には、ＣＰＵ１０は、品詞種別表示エリアＥ２０において選択品詞種別と異なる品詞種別が指定された場合に、品詞種別表示エリアＥ２０、及び品詞種別より下位の階層に格納される語義及び用例を表示させる語義表示エリアＥ３０と用例表示エリアＥ５０の表示を、指定された品詞種別の階層上下関係に従って表示更新する。
【００４４】
具体的には、ＣＰＵ１０は、新たに選択状態に設定された品詞種別を選択状態に設定して反転表示させるとともに、語義番号“１”の語義及び対応する用例を選択状態に設定して反転表示させる。
【００４５】
また、この際、新たに表示させた表示情報に基づいて、表示エリアデータ格納領域７４の備える見出語表示エリアデータ７４ａ、品詞種別表示エリアデータ７４ｂ、語義表示エリアデータ７４ｃ、派生語・成句表示エリアデータ７４ｄ、用例表示エリアデータ７４ｅの各データが更新される。
【００４６】
さらに、ＣＰＵ１０は、語義表示エリアＥ３０に表示される語義が指定された場合に、語義表示エリア選択プログラム５６ｂに従って語義表示エリア選択処理を実行する。具体的には、ＣＰＵ１０は、語義表示エリアＥ３０において選択語義と異なる語義が指定された場合に、語義表示エリアＥ３０と用例表示エリアＥ５０の表示を更新する。具体的には、ＣＰＵ１０は、指定された語義の語義番号を取得し、当該語義番号の語義及び対応する用例を反転表示させる。
【００４７】
また、この際、品詞種別表示エリア選択処理と同様に、新たに表示させた表示情報に基づいて、表示エリアデータ格納領域７４が更新される。
【００４８】
ＲＡＭ７０は、ＣＰＵ１０が実行する各種プログラムや、これらプログラムの実行に係るデータ等を一時的に保持するメモリ領域を備える。特に、辞書情報格納領域７２と、表示エリアデータ格納領域７４とを備え、表示エリアデータ格納領域７４には、見出語表示エリアデータ７４ａと、品詞種別表示エリアデータ７４ｂと、語義表示エリアデータ７４ｃと、派生語・成句表示エリアデータ７４ｄと、用例表示エリアデータ７４ｅとが格納される。
【００４９】
次に、本発明を適用した実施の形態における電子辞書１の動作について図８〜図１４を参照して説明する。図８，図１０〜図１２は電子辞書１の動作フローを、図９，図１３，図１４は表示装置３０に表示される画面の遷移例を、それぞれ示している。
【００５０】
図８は、辞書検索プログラム５４を実行することにより実現される辞書検索処理に係る電子辞書１の動作を示すフローチャートである。同図に示すように、ＣＰＵ１０は、表示装置３０に表示させた検索語入力画面に検索語が入力されるとともに（ステップＡ１０）、検索実行が指示される（ステップＡ１２）まで待機する。
【００５１】
図９（ａ）に、検索語入力画面１００の一例を示す。同図に示すように、検索語入力ボックス１０２に、検索語“ｌｕｃｋ”が入力されている。
【００５２】
そして、ＣＰＵ１０は、検索実行指示に応じて指定された検索語と一致する見出語を英和辞書ＤＢ５２に記憶されている見出語から検索する（ステップＡ１４）。そして、検索語と一致する見出語が存在する場合には（ステップＡ１６：ＹＥＳ）、対応する説明情報を読み出して説明情報格納領域７２を更新し（ステップＡ１８）、エリア分類表示処理を実行する（ステップＡ２０）。
【００５３】
図１０は、エリア分類表示プログラム５６を実行することにより実現されるエリア分類表示処理に係る電子辞書１の動作を示すフローチャートである。同図に示すように、ＣＰＵ１０は、先ず、読み出した辞書情報を表示装置３０に分類初期表示させる（ステップＢ１０）。
【００５４】
図９（ｂ）に、この段階で表示装置３０に表示される検索結果表示画面１０４の一例を示す。同図に示すように、見出語“ｌｕｃｋ”に対応する説明情報が、見出語表示エリアＥ１０ａ、品詞種別表示エリアＥ２０ａ、語義表示エリアＥ３０ａ、派生語・成句表示エリアＥ４０ａ、及び用例表示エリアＥ５０ａにそれぞれ分類表示されている。具体的には、見出語表示エリアＥ１０ａには、検索語に指定された“ｌｕｃｋ”と一致する見出語が表示されている。そして、品詞種別表示エリアＥ２０ａには、名詞の品詞種別“加算”，“不加算”が表示されるとともに、品詞種別“加算”が反転表示（Ｅ２０ａ−１）されている。そして、語義表示エリアＥ３０ａには、品詞種別“加算”と階層上下関係が等しい語義が表示され、語義番号“１”の語義が反転表示（Ｅ３０ａ−１）されている。さらに、派生語・成句表示エリアＥ４０ａには、検索語“ｌｕｃｋ”の派生語が表示されている。
【００５５】
ステップＢ１０において説明情報を分類初期表示させた後、ＣＰＵ１０は、表示画面上のエリア選択指示待ちとなり（ステップＢ１２）、指定された表示エリアに応じた処理を実行する。具体的には、ＣＰＵ１０は、品詞種別表示エリアＥ２０の品詞種別が指定された場合には、品詞種別表示エリア選択処理を実行する（ステップＢ１４）。
【００５６】
図１１は、品詞種別表示エリア選択プログラム５６ａを実行することにより実現される品詞種別表示エリア選択処理に係る電子辞書１の動作を示すフローチャートである。
【００５７】
同図に示すように、ＣＰＵ１０は、先ず、指定された品詞種別が当該時点における選択品詞種別と異なるか否かを判定する（ステップＢ１４０）。そして、ＣＰＵ１０は、異なると判定した場合には、指定された品詞種別を反転表示させて品詞種別表示エリアＥ２０を表示更新する（ステップＢ１４２）。また、ＣＰＵ１０は、指定された品詞種別と階層上下関係が等しい語義番号の語義を表示させるとともに、語義番号“１”の語義を反転表示させて語義表示エリアＥ３０を表示更新する（ステップＢ１４４）。さらに、品詞種別と階層上下関係が等しい用例を表示させるとともに、語義番号“１”の用例を反転表示させて用例表示エリアＥ５０を表示更新する（ステップＢ１４６）。
【００５８】
また、ＣＰＵ１０は、語義表示エリアＥ３０に含まれる語義が指定された場合には、語義表示エリア選択処理を実行する（ステップＢ１６（図１０））。
【００５９】
図１２は、語義表示エリア選択プログラム５６ｂを実行することにより実現される語義表示エリア選択処理に係る電子辞書１の動作を示すフローチャートである。同図に示すように、ＣＰＵ１０は、先ず、指定された語義が当該時点における選択語義と異なるか否かを判定する（ステップＢ１６０）。そして、ＣＰＵ１０は、異なると判定した場合には、指定された語義の語義番号を取得する（ステップＢ１６２）。そして、ＣＰＵ１０は、取得した語義番号と階層上下関係が等しい語義を反転表示させて語義表示エリアＥ３０を表示更新する（ステップＢ１６４）。さらに、ステップＢ１６２で取得した語義番号と階層上下関係が等しい用例を反転表示させて用例表示エリアＥ５０を表示更新する（ステップＢ１６６）。
【００６０】
例えば、図９（ｂ）に示す検索結果表示画面１０４において、品詞種別表示エリアＥ２０ａの品詞種別“不加算”を指定すると、（ｃ）に示すように、品詞種別表示エリアＥ２０ａの表示が更新され、指定された品詞種別“不加算”が反転表示（Ｅ２０ａ−２）される。そして、語義表示エリアＥ３０ａの表示が更新され、品詞種別“不加算”と階層上下関係が等しい語義が一覧表示されるとともに、語義番号“１”の語義が反転表示（Ｅ３０ａ−２）される。さらに、用例表示エリアＥ５０ａの表示が更新され、品詞種別“不加算”と階層上下関係が等しい用例が一覧表示されるとともに、語義番号“１”の用例“ｂｙ  ｌｕｃｋ”が反転表示（Ｅ５０ａ−１）される。
【００６１】
さらに、図９（ｃ）に示す検索結果表示画面１０４において、語義表示エリアＥ３０ａの語義番号２の語義“運、まぐれ当り”を指定すると、（ｄ）に示すように、語義表示エリアＥ３０ａの表示が更新され、指定された語義番号２の語義“運、まぐれ当り”が反転表示（Ｅ３０ａ−３）される。さらに、用例表示エリアＥ５０ａの表示が更新され、語義番号２の用例“Ｌｕｃｋ  ｗａｓ  ｗｉｔｈ
ｍｅ．”が反転表示（Ｅ５０ａ−２）される。
【００６２】
図１３に、検索語に形容詞を指定した場合における電子辞書１の画面遷移例を示す。同図（ａ）に示す検索語入力画面１２０において検索語入力ボックス１２２に検索語“ｂｒｉｇｈｔ”を入力して検索実行を指示すると、（ｂ）に示すように、見出語表示エリアＥ１０ｂには、検索語に指定された見出語“ｂｒｉｇｈｔ（形容詞）”が表示されている。そして、品詞種別表示エリアＥ２０ｂには、形容詞の品詞種別“叙述用法”及び品詞種別“限定用法”が表示されるとともに、品詞種別“叙述用法”が反転表示（Ｅ２０ｂ−１）されている。そして、語義表示エリアＥ３０ｂには、品詞種別“叙述用法”と階層上下関係が等しい語義が一覧表示され、語義番号“１”の語義が反転表示（Ｅ３０ｂ−１）されている。そして、派生語・成句表示エリアＥ４０ｂには、検索語“ｂｒｉｇｈｔ”の派生語が一覧表示されている。さらに、用例表示エリアＥ５０ｂには、語義番号“１”の用例が反転表示（Ｅ５０ｂ−１）されている。図１３に示すように、用例表示エリアＥ５０ｂにおいて、語義表示エリアＥ３０ｂで選択語義に対応する用例のみ表示されることとしてもよい。
【００６３】
そして、例えば、図１３（ｂ）に示す検索結果表示画面１２４において、品詞種別表示エリアＥ２０ｂの品詞種別“限定用法”を指定すると、（ｃ）に示すように、品詞種別表示エリアＥ２０ｂの表示が更新され、指定された品詞種別“限定用法”が反転表示（Ｅ２０ｂ−２）される。そして、語義表示エリアＥ３０ｂの表示が更新され、品詞種別“限定用法”と階層上下関係が等しい語義が一覧表示されるとともに、語義番号“１”の語義が反転表示（Ｅ３０ｂ−２）される。さらに、用例表示エリアＥ５０ｂの表示が更新され、語義表示エリアＥ３０ｂにおいて反転表示されている語義番号“１”の用例が反転表示（Ｅ５０ｂ−２）される。
【００６４】
図１４に、検索語に動詞を指定した場合における電子辞書１の画面遷移例を示す。同図（ａ）に示す検索語入力画面１４０において検索語入力ボックス１４２に動詞“ｂｅｇｉｎ”を入力して検索実行を指示すると、（ｂ）に示すように、見出語表示エリアＥ１０ｃには、検索語に指定された見出語“ｂｅｇｉｎ（動詞）”が表示されている。そして、品詞種別表示エリアＥ２０ｃには、動詞の品詞種別“自動詞”と対応する文型“ＳＶ（Ｍ）”、及び品詞種別“他動詞”と対応する文型“ＳＶＯ”，“ｔｏｄｏ”，“ｄｏｉｎｇ”が表示されるとともに、品詞種別“自動詞”と対応する文型“ＳＶ（Ｍ）”が反転表示（Ｅ２０ｃ−１，Ｅ２０ｃ−２）されている。そして、語義表示エリアＥ３０ｃには、品詞種別“自動詞”と階層上下関係が等しい語義が一覧表示され、語義番号“１”の語義が反転表示（Ｅ３０ｃ−１）されている。そして、派生語・成句表示エリアＥ４０ｃには、検索語“ｂｅｇｉｎ”の派生語が一覧表示されている。さらに、用例表示エリアＥ５０ｃには、語義番号“１”の用例が反転表示（Ｅ５０ｃ−１）されている。
【００６５】
そして、例えば、図１４（ｂ）に示す検索結果表示画面１４４において、品詞種別表示エリアＥ２０ｃの文型“ｔｏｄｏ”を指定すると、（ｃ）に示すように、品詞種別表示エリアＥ２０ｃの表示が更新され、指定された文型“ｔｏｄｏ”及び文型“ｔｏｄｏ”と対応する品詞種別“他動詞”が反転表示（Ｅ２０ｃ−３，Ｅ２０ｃ−４）される。そして、語義表示エリアＥ３０ｃの表示が更新され、品詞種別“他動詞”と階層上下関係が等しい語義が一覧表示されるとともに、文型“ｔｏｄｏ”と階層上下関係が等しい語義番号の語義が反転表示（Ｅ３０ｃ−２）される。さらに、用例表示エリアＥ５０ｃの表示が更新され、文型“ｔｏｄｏ”と階層上下関係の等しい語義番号の用例の内、文型“ｔｏｄｏ”が対応付けられた用例が反転表示（Ｅ５０ｃ−２）される。
【００６６】
さらに、図１４（ｃ）に示す検索結果表示画面１４４において、品詞種別表示エリアＥ２０ｃの文型“ｄｏｉｎｇ”を指定すると、（ｄ）に示すように、品詞種別表示エリアＥ２０ｃの表示が更新され、指定された文型“ｄｏｉｎｇ”及び文型“ｄｏｉｎｇ”と対応する品詞種別“他動詞”が反転表示（Ｅ２０ｃ−３，Ｅ２０ｃ−５）される。そして、語義表示エリアＥ３０ｃの表示が更新され、品詞種別“他動詞”と階層上下関係が等しい語義が一覧表示されるとともに、文型“ｄｏｉｎｇ”と階層上下関係が等しい語義番号の語義が反転表示（Ｅ３０ｃ−３）される。さらに、用例表示エリアＥ５０ｃの表示が更新され、文型“ｄｏｉｎｇ”と階層上下関係の等しい語義番号の用例の内、文型“ｄｏｉｎｇ”が対応付けられた用例が反転表示（Ｅ５０ｃ−３）される。
【００６７】
尚、図３に示して説明した辞書情報５３の派生語の下位階層に当該派生語の語義及び用例を格納し、成句の下位階層に当該成句の語義及び用例を格納して、派生語・成句表示エリアＥ４０に表示される派生語又は成句が指定された場合に、語義表示エリアＥ３０及び用例表示エリアＥ５０の表示を更新することとしてもよい。
【００６８】
図１５は、派生語・成句表示エリアＥ４０に表示される派生語或いは成句が選択された際の電子辞書１の動作フローを示す図である。同図に示すように、ＣＰＵ１０は、派生語・成句表示エリアＥ４０に表示される派生語又は成句が指定された場合に、先ず、指定された派生語又は成句が当該時点で選択状態に設定されている派生語又は成句と異なるか否かを判定する（ステップＣ１０）。そして、ＣＰＵ１０は、異なると判定した場合には、指定された派生語又は成句を反転表示させて派生語・成句表示エリアＥ４０を表示更新する（ステップＣ１１）。指定された派生語又は成句と階層関係が等しい語義の内、語義番号“１”の語義を選択状態に設定して反転表示させて語義表示エリアＥ３０を表示更新する（ステップＣ１２）。さらに、ＣＰＵ１０は、語義表示エリアＥ３０において選択語義の用例を選択状態に設定して反転表示させて用例表示エリアＥ５０を表示更新する（ステップＣ１４）。
【００６９】
図１６に、派生語・成句表示エリアＥ４０ｄに表示される成句を指定した場合における電子辞書１の画面遷移例を示す。同図（ａ）に示すように、品詞種別表示エリアＥ２０ｄには、自動詞の品詞種別“自動詞”と対応する“ＳＶ（Ｍ）”、及び品詞種別“他動詞”と対応する文型“ＳＶＯ”，“ｔｏｄｏ”，“ｄｏｉｎｇ”が表示されるとともに、品詞種別“自動詞”と対応する文型“ＳＶ（Ｍ）”が反転表示（Ｅ２０ｄ−１，Ｅ２０ｄ−２）されている。そして、語義表示エリアＥ３０ｄには、品詞種別“自動詞”と階層上下関係が等しい語義が一覧表示され、語義番号“１”の語義が反転表示（Ｅ３０ｄ−１）されている。そして、派生語・成句表示エリアＥ４０ｄには、検索語“ｂｅｇｉｎ”の派生語及び成句が一覧表示されている。さらに、用例表示エリアＥ５０ｄには、語義番号“１”の用例が反転表示（Ｅ５０ｄ−１）されている。
【００７０】
例えば、図１６（ａ）に示す検索結果表示画面１６０において、派生語・成句表示エリアＥ４０ｄに表示される成句“ｔｏ  ｂｅｇｉｎ  ｗｉｔｈ”を指定すると、（ｂ）に示すように、語義表示エリアＥ３０ｄの表示が更新され、指定された成句と階層関係が等しい語義が反転表示（Ｅ３０ｄ−２）される。そして、派生語・成句エリアＥ４０ｄの表示が更新され、指定された成句が反転表示（Ｅ４０ｄ−１）される。さらに、用例表示エリアＥ５０ｄの表示が更新され、指定された成句と階層関係が等しい用例が反転表示（Ｅ５０ｄ−２）される。
【００７１】
また、上記した実施の形態においては、各表示エリアに表示された情報が指定された際に、当該指定された情報より下位の階層に格納される情報を更新する場合について説明したが、指定された情報に基づいて上位の階層に格納される情報を更新することとしてもよい。例えば、用例表示エリアＥ５０に表示された用例が指定された際に、ＣＰＵ１０は、指定された用例と階層上下関係が等しい語義番号を取得し、当該語義番号の語義を選択状態に設定して反転表示させて語義情報表示エリアＥ３０を表示更新する。
【００７２】
図１７に、この場合における電子辞書１の画面遷移例を示す。同図（ａ）に示すように、品詞種別表示エリアＥ２０ｅには、名詞の品詞種別“加算”，“不加算”が表示されるとともに、品詞種別“不加算”が反転表示（Ｅ２０ｅ−１）されている。そして、語義表示エリアＥ３０ｅには、品詞種別“不加算”と階層上下関係が等しい語義が一覧表示され、語義番号“１”の語義が反転表示（Ｅ３０ｅ−１）されている。そして、派生語・成句表示エリアＥ４０ｅには、検索語“ｌｕｃｋ”の派生語が表示されている。さらに、用例表示エリアＥ５０ｅには、語義番号“１”の用例が反転表示（Ｅ５０ｅ−１）されている。
【００７３】
例えば、図１７（ａ）に示す検索結果表示画面１８０において、用例表示エリアＥ５０ｅに表示される用例“ｌｕｃｋ  ｗａｓ  ｗｉｔｈ  ｍｅ”を指定すると、（ｂ）に示すように、語義表示エリアＥ３０ｅの表示が更新され、指定された用例と階層上下関係が等しい語義番号の語義が反転表示（Ｅ３０ｅ−２）される。さらに、用例表示エリアＥ５０ｅの表示が更新され、指定された用例が反転表示（Ｅ５０ｅ−２）される。
【００７４】
以上説明したように、本実施の形態によれば、英和辞書ＤＢ５２には、各見出語と、当該見出語の派生語、成句、品詞種別、語義番号、当該語義番号の語義及び用例の各分類項目に階層的に分類した説明情報とが対応付けられた辞書情報が格納される。これによれば、入力された検索語と一致する見出語に対応する説明情報を、分類項目毎に異なる表示エリアに分類表示させることができる。さらに、分類表示されている情報が指定された際、指定された情報が表示される表示エリアにおいて当該時点で選択状態に設定されていた情報と階層上下関係が異なる場合には、新たに選択状態に設定された情報の階層上下関係に則して他の表示エリアの情報を更新することができる。
【００７５】
尚、この実施の形態では電子辞典、電子事典などを含む電子辞書を適用例として説明したが、本発明が適用可能なものは、このような製品に限定されず、携帯電話、パソコン、電子時計などの電子機器全般に適用可能である。また、電子辞書本体に対して着脱可能なメモリカード、ＣＤ等に電子辞書データを記憶することとしてもよい。
【００７６】
【発明の効果】
請求項１又は８に記載の発明によれば、入力された検索語と一致する見出語に対応する説明情報を情報記憶手段から読み出して表示する際に、当該読み出した説明情報を予め定められた分類項目毎に異なる分割画面に分類表示させることができる。従って、所望の見出語に対応する説明情報のうち、所望の品詞や語義等の分類項目についての語義説明や用例等の各情報を容易且つ迅速に表示させることができる。
【００７７】
請求項２に記載の発明によれば、一の分割画面に表示された情報の中のいずれかの部分が指定された際、各分割画面に指定された部分と対応関係にある分類項目毎の部分を、各分割画面に表示させることができる。従って、所望の見出語に対応する説明情報のうち、所望の品詞や語義等の分類項目についての語義説明や用例等の各情報を容易且つ迅速に表示させることができる。
【００７８】
請求項３又は９に記載の発明によれば、入力された検索語と一致する見出語に対応する説明情報を情報記憶手段から読み出して表示する際に、当該読み出した説明情報を予め定められた階層的な分類項目毎に異なる分割画面に分類表示させることができる。さらに、一の分割画面に表示された情報の中の一部分が指定された際、当該時点で各分割画面に表示している情報と指定された一部分との階層上下関係が異なる場合には、各分割画面の表示を指定された一部分の階層上下関係に則した情報に更新することができる。即ち、説明情報に含まれる情報を階層上下関係に基づいて分類項目毎に表示させることができる。従って、所望の見出語に対応する説明情報のうち、所望の品詞や語義等の分類項目についての語義説明や用例等の各情報を容易且つ迅速に表示させることができる。
【００７９】
請求項４に記載の発明によれば、入力された検索語と一致する見出語の品詞の品詞種別を品詞種別表示画面に、当該見出語に対応する説明情報に含まれる語義を語義表示画面に分類表示させることができる。さらに、品詞種別表示画面において、語義より上位階層の分類項目である品詞種別が指定された際、当該時点で語義表示画面に表示している語義と指定された品詞種別との階層上限関係が異なる場合には、語義表示画面の表示を指定された品詞種別の階層上下関係に則した情報に更新して再表示することができる。従って、所望の見出語に対応する説明情報のうち、所望の品詞種別に対応する語義を容易且つ迅速に表示させることができる。
【００８０】
請求項５に記載の発明によれば、入力された検索語と一致する見出語に対応する説明情報に含まれる用例を用例表示画面に分類表示させることができる。さらに、用例より上位階層の分類項目を表示させた他の分割画面の情報の中の一部分が指定された際、当該時点で用例表示画面に表示している用例と指定された一部分との階層上限関係が異なる場合には、用例表示画面の表示を指定された一部分の階層上下関係に則した情報に更新して再表示することができる。従って、所望の見出語に対応する説明情報のうち、所望の品詞や語義等の分類項目に対応する用例を容易且つ迅速に表示させることができる。
【００８１】
請求項６に記載の発明によれば、入力された検索語と一致する見出語に対応する説明情報に含まれる語義を語義表示画面に、当該見出語に対応する説明情報に含まれる用例を用例表示画面に分類表示させることができる。さらに、語義表示画面において、用例より上位階層の分類項目である語義が指定された際、当該時点で用例表示画面に表示している用例と指定された語義との階層上下関係が異なる場合には、用例表示画面の表示を指定された語義の階層上下関係に則した情報に更新して再表示することができる。従って、所望の見出語に対応する説明情報のうち、所望の語義に対応する用例を容易且つ迅速に表示させることができる。
【００８２】
請求項７に記載の発明によれば、入力された検索語と一致する見出語に対応する説明情報に含まれる成句を成句表示画面に分類表示させることができる。さらに、成句表示画面において、用例より上位階層の分類項目である成句が指定された際、当該時点で用例表示画面に表示している用例と指定された成句との階層上下関係が異なる場合には、用例表示画面の表示を指定された成句の階層上下関係に則した情報に更新することができる。
【図面の簡単な説明】
【図１】本発明を適用した電子辞書の斜視概観図の一例を示す図。
【図２】電子辞書の機能構成例を示す図。
【図３】英和辞書ＤＢに蓄積される辞書情報の格納形式の一例を示す図。
【図４】辞書情報の一例を示す図。
【図５】辞書情報の一例を示す図。
【図６】辞書情報の一例を示す図。
【図７】検索結果表示画面の画面構成例を示す図
【図８】辞書検索処理の実行に係る電子辞書の動作フローを示す図。
【図９】電子辞書の画面遷移例を示す図。
【図１０】エリア分類表示処理の実行に係る電子辞書の動作フローを示す図。
【図１１】品詞種別表示エリア選択処理の実行に係る電子辞書の動作フローを示す図。
【図１２】語義表示エリア選択処理の実行に係る電子辞書の動作フローを示す図。
【図１３】電子辞書の画面遷移例を示す図。
【図１４】電子辞書の画面遷移例を示す図。
【図１５】派生語・成句表示エリアに表示される派生語或いは成句が選択された際の電子辞書の動作フローを示す図。
【図１６】電子辞書の画面遷移例を示す図。
【図１７】電子辞書の画面遷移例を示す図。
【符号の説明】
１            電子辞書
１０        ＣＰＵ
２０        入力装置
３０        表示装置
５０        ＲＯＭ
５２      英和辞書ＤＢ
５４      辞書検索プログラム
５６      エリア分類表示プログラム
５６ａ  品詞種別表示エリア選択プログラム
５６ｂ  語義表示エリア選択プログラム
７０        ＲＡＭ
７２      説明情報格納領域
７４      表示エリアデータ格納領域
７４ａ  見出語表示エリアデータ
７４ｂ  品詞種別表示エリアデータ
７４ｃ  語義表示エリアデータ
７４ｄ  派生語・成句表示エリアデータ
７４ｅ  用例表示エリアデータ
【図１】
2004213242.tif 000003
【図２】
2004213242.tif 000004
【図３】
2004213242.tif 000005
【図４】
2004213242.tif 000006
【図５】
2004213242.tif 000007
【図６】
2004213242.tif 000008
【図７】
2004213242.tif 000009
【図８】
2004213242.tif 000010
【図９】
2004213242.tif 000011
【図１０】
2004213242.tif 000012
【図１１】
2004213242.tif 000013
【図１２】
2004213242.tif 000014
【図１３】
2004213242.tif 000015
【図１４】
2004213242.tif 000016
【図１５】
2004213242.tif 000017
【図１６】
2004213242.tif 000018
【図１７】
2004213242.tif 000019